(57)【要約】【課題】  ２枚のガラスと枠によりほぼ密閉されたダブルスキンガラス等の内部空間を利用して、ガラスファサード等の開放感のある外観の邪魔とならず、意匠的な制約とならない光透過率可変システムを提供する【解決手段】  ２枚のガラスと枠によりほぼ密閉された状態のガラス部を透過する光の透過率を変更可能な光透過率可変システムにおいて、前記ガラス部の内部空気層の気体の状態変化により、前記内部空気層を透過する透過光の一部又は全部を反射・吸収する。【選択図】図１
2008025229.tif 000002
【特許請求の範囲】
【請求項１】
２枚のガラスと枠によりほぼ密閉された状態のガラス部を透過する光の透過率を変更可能な光透過率可変システムにおいて、前記ガラス部の内部空気層の気体の状態変化により、前記内部空気層を透過する透過光の一部又は全部を反射・吸収することを特徴とする光透過率可変システム。
【請求項２】
前記気体の状態変化は、前記内部空気層を冷却することにより発生することを特徴とする請求項１に記載の光透過率可変システム。
【請求項３】
前記光透過率可変システムは、前記内部空気層に凝結核を供給する凝結核供給装置と、前記内部空気層を加湿する加湿器と、前記内部空気層を減圧する減圧装置と、前記凝結核供給装置、前記加湿器、前記減圧装置を制御する制御手段とを備えたことを特徴とする請求項２に記載の光透過率可変システム。
【請求項４】
前記光透過率可変システムは、前記内部空気層の温度を検知する温度センサと、前記内部空気層の凝結核を検知する凝結核センサと、前記内部空気層の湿度を検知する湿度センサと、前記内部空気層の圧力を検知する圧力センサとを有し、前記制御手段は、前記温度センサ、前記凝結核センサ、前記湿度センサ、前記圧力センサの検知した前記内部空気層の状態から、前記凝結核供給装置、前記加湿器、前記減圧装置を制御することを特徴とする請求項３に記載の光透過率可変システム。
【請求項５】
前記光透過率可変システムは、前記内部空気層に凝結核を供給する凝結核供給装置と、前記内部空気層を加湿する加湿器と、前記内部空気層を冷却する冷却装置と、前記凝結核供給装置、前記加湿器、前記冷却装置を制御する制御手段とを備えたことを特徴とする請求項２に記載の光透過率可変システム。
【請求項６】
前記光透過率可変システムは、前記内部空気層の温度を検知する温度センサと、前記内部空気層の凝結核を検知する凝結核センサと、前記内部空気層の湿度を検知する湿度センサと、前記内部空気層の圧力を検知する圧力センサとを有し、前記制御手段は、前記温度センサ、前記凝結核センサ、前記湿度センサ、前記圧力センサの検知した前記内部空気層の状態から、前記凝結核供給装置、前記加湿器、前記冷却装置を制御することを特徴とする請求項５に記載の光透過率可変システム。
【請求項７】
前記気体の状態変化は、前記内部空気層を加湿することにより発生することを特徴とする請求項１に記載の光透過率可変システム。
【請求項８】
前記光透過率可変システムは、前記内部空気層を加湿する加湿器と、前記内部空気層が飽和状態となるように前記加湿器を作動させる制御手段と、を備えたことを特徴とする請求項７に記載の光透過率可変システム。
【請求項９】
２枚のガラスと枠によりほぼ密閉された状態のガラス部を透過する光の透過率を変更可能な光透過率可変システムにおいて、光の一部又は全部を反射・吸収する気体を発生する非透過気体発生装置を備え、前記非透過気体発生装置から前記ガラス部の内部空気層に送出する気体により、前記内部空気層を透過する透過光の一部又は全部を反射・吸収することを特徴とする光透過率可変システム。
【請求項１０】
前記非透過気体発生装置は、水とドライアイスにより非透過気体を発生することを特徴とする請求項９に記載の光透過率可変システム。
【請求項１１】
前記ガラス部は、ガラスファザードを構成し、前記ガラスファザードの透明な状態を瞬時に不透明に変更することを特徴とする請求項１乃至請求項１０のいずれかに記載の光透過率可変システム。
【発明の詳細な説明】
【技術分野】
【０００１】
本発明は、２枚のガラスと枠によりほぼ密閉されたダブルスキン構造等のガラスの内部空間を利用した光透過率可変システムに関するものである。
【背景技術】
【０００２】
従来、建築物等において、開放感のある外観を演出するためにダブルスキン構造を用いたガラスファザード等がある。このような構造において、外観を変化させる目的ではないが、直射日光の遮光や目隠しを目的として、ガラスに挟まれた内部の空間にブラインドを備えることで、遮光・調光を実行するシステムがある（特許文献１）。
【特許文献１】特開２０００−２４８８５６号公報
【発明の開示】
【発明が解決しようとする課題】
【０００３】
しかしながら、ガラスファサード等を用いた建築物等において、このようなブラインド等を使用すると、通常時、ガラスファサード等の開放感のある外観の邪魔となり、意匠的な制約となっていた。また、不透明フィルムを貼ったり、内部ロールスクリーンを設置するなどは、別途工事が必要となり、数日から数週間の期間が必要となっていた。さらに、このような構造では、その外観を瞬時に変化させることはできず、より効果的に人々の興味を引きつけることはできなかった。
【０００４】
本発明は上記課題を解決し、ブラインド等を使用せず、ダブルスキン構造等の内部空間を利用して、ガラスファサード等の開放感のある外観を維持すると共に、建物の外観等を瞬時に変更可能な光透過率可変システムを提供することを目的とする。
【課題を解決するための手段】
【０００５】
本発明は上記課題を解決するものであって、２枚のガラスと枠によりほぼ密閉された状態のガラス部を透過する光の透過率を変更可能な光透過率可変システムにおいて、前記ガラス部の内部空気層の気体の状態変化により、前記内部空気層を透過する透過光の一部又は全部を反射・吸収することを特徴とする。
【０００６】
また、前記気体の状態変化は、前記内部空気層を冷却することにより発生することを特徴とする。
【０００７】
また、前記光透過率可変システムは、前記内部空気層に凝結核を供給する凝結核供給装置と、前記内部空気層を加湿する加湿器と、前記内部空気層を減圧する減圧装置と、前記凝結核供給装置、前記加湿器、前記減圧装置を制御する制御手段とを備えたことを特徴とする。
【０００８】
また、前記光透過率可変システムは、前記内部空気層の温度を検知する温度センサと、前記内部空気層の凝結核を検知する凝結核センサと、前記内部空気層の湿度を検知する湿度センサと、前記内部空気層の圧力を検知する圧力センサとを有し、前記制御手段は、前記温度センサ、前記凝結核センサ、前記湿度センサ、前記圧力センサの検知した前記内部空気層の状態から、前記凝結核供給装置、前記加湿器、前記減圧装置を制御することを特徴とする。
【０００９】
また、前記光透過率可変システムは、前記内部空気層に凝結核を供給する凝結核供給装置と、前記内部空気層を加湿する加湿器と、前記内部空気層を冷却する冷却装置と、前記凝結核供給装置、前記加湿器、前記冷却装置を制御する制御手段とを備えたことを特徴とする。
【００１０】
また、前記光透過率可変システムは、前記内部空気層の温度を検知する温度センサと、前記内部空気層の凝結核を検知する凝結核センサと、前記内部空気層の湿度を検知する湿度センサと、前記内部空気層の圧力を検知する圧力センサとを有し、前記制御手段は、前記温度センサ、前記凝結核センサ、前記湿度センサ、前記圧力センサの検知した前記内部空気層の状態から、前記凝結核供給装置、前記加湿器、前記冷却装置を制御することを特徴とする。
【００１１】
また、前記気体の状態変化は、前記内部空気層を加湿することにより発生することを特徴とする。
【００１２】
また、前記光透過率可変システムは、前記内部空気層を加湿する加湿器と、前記内部空気層が飽和状態となるように前記加湿器を作動させる制御手段と、を備えたことを特徴とする。
【００１３】
さらに、２枚のガラスと枠によりほぼ密閉された状態のガラス部を透過する光の透過率を変更可能な光透過率可変システムにおいて、光の一部又は全部を反射・吸収する気体を発生する非透過気体発生装置を備え、前記非透過気体発生装置から前記ガラス部の内部空気層に送出する気体により、前記内部空気層を透過する透過光の一部又は全部を反射・吸収することを特徴とする。
【００１４】
また、前記非透過気体発生装置は、水とドライアイスにより非透過気体を発することを特徴とする。
【００１５】
また、前記ガラス部は、ガラスファザードを構成し、前記ガラスファザードの透明な状態を瞬時に不透明に変更することを特徴とする。
【発明の効果】
【００１６】
本発明の光透過率可変システムによれば、ダブルスキン構造等の内部空間を利用して、ガラスファサード等の開放感のある外観を維持すると共に、建物の外観を瞬時に変更することができる。したがって、人々の興味を効果的に引きつけることができ、建物全体を宣伝等に使用することもできる。
【発明を実施するための最良の形態】
【００１７】
以下、図面を参照して光透過率可変システムの実施形態を説明する。図１は第１実施形態である気圧変化による水蒸気の雲状化を利用した光透過率可変システムＡ１の構造を示す。図中、１はガラス部、２はガラス、２ａは外側ガラス、２ｂは内側ガラス、３は枠、４は補強リブ、１０はセンサ群、１１は温度センサ、１２は凝結核センサ、１３は湿度センサ、１４は圧力センサ、２０は制御装置、２１は制御手段の一例としての制御盤、２２は凝結核供給装置、２３は加湿器、２４は減圧装置、３０は吸排部、３１は加湿・凝結核通路、３２は加湿・凝結核バルブ、３３は減圧通路、３４は減圧バルブ、３５は吸排気通路、３６は吸排気バルブ、４０は外部大気層、４１は大気、５０は内部空気層、５１は内部空気、５２は凝結核、５３は多湿空気、Ａ１は光透過率可変システム、Ｓ１は入力手段である。
【００１８】
光透過率可変システムＡ１は、入力手段Ｓ１、ガラス部１、センサ群１０、制御装置２０及び吸排部３０を備える。入力手段Ｓ１は、建物等の内側ガラス２ｂ内部の状態を示す温度センサ、湿度センサ等又は手動で温度や湿度を設定するスイッチ等である。
【００１９】
ガラス部１は、外側ガラス２ａ及び内側ガラス２ｂの２枚からなるガラス２と、ガラス２の四方を囲む枠３と、外側ガラス２ａ及び内側ガラス２ｂの間に挟持される補強リブ４とからなり、外部大気層４０に対して内部空気層５０をほぼ密閉状態とするものであり、ガラス２の間隔が大きいガラスファザードのダブルスキン構造等に適用するものである。なお、ガラス部１は二重ガラスを構成してもよい。
【００２０】
センサ群１０は、それぞれガラス部１内の内部空気層４０の状態を検知するものであり、温度を検知する温度センサ１１、凝結核５２の量を検知する凝結核センサ１２、湿度を検知する湿度センサ１３、圧力を検知する圧力センサ１４とからなる。
【００２１】
制御装置２０は、入力手段Ｓ１及びセンサ群１０のそれぞれのセンサからの検知信号を入力し、凝結核供給装置２２、加湿器２３、減圧装置２４を制御する制御盤２１と、制御盤２１からの信号によりガラス部１の内部空気層５０に微細なちり等の凝結核５２を供給する凝結核供給装置２２と、制御盤２１からの信号によりガラス部１の内部空気層５０に多湿空気５３を供給し加湿する加湿器２３と、制御盤２１からの信号によりガラス部１の内部空気層５０から内部空気５１を排気することで減圧する減圧装置２４とを有する。なお、入力手段Ｓは制御盤２１と一体に設けてもよい。
【００２２】
吸排部３０は、ガラス部１の内部空気層５０と凝結核供給装置２２及び加湿器２３とを枠３を貫通して連通する加湿・凝結核通路３１と、加湿・凝結核通路３１を通過する凝結核５２及び多湿空気５３の量を制御する加湿・凝結核バルブ３２と、ガラス部１の内部空気層５０と減圧装置２４とを枠３を貫通して連通する減圧通路３３と、減圧通路３３を通過する空気の量を制御する減圧バルブ３４と、ガラス部１の内部空気層５０と外部大気層４０とを枠３を貫通して連通する吸排気通路３５と、吸排気通路３５を通過する空気の量を制御する吸排気バルブ３６とを有する。
【００２３】
このような構造の光透過率可変システムＡの作動を説明する。図２は、各状態での光透過率可変システムＡを順に示した図であり、図３は、内部空気層５０の内部空気５１の状態の変化を示すグラフである。図中、Ｌ１は透過光、Ｌ２は反射・吸収光である。本実施形態の場合、内側ガラス２ｂ内部の温度が高いと判断し、透過光Ｌ１の一部又は全部を反射・吸収光Ｌ２となるように制御する。
【００２４】
通常時、図２（ａ）に示すように、加湿・凝結核バルブ３２及び減圧バルブ３４は閉じられ、吸排気バルブ３６のみが開かれており、ガラス部１の内部空気層５０は、外部大気層４０と連通し、内部空気５１は、図３に示すように、大気圧、常温、常湿の状態となっているので、外側ガラス２ａの外部からの光は透過光Ｌ１となって、内側ガラス２ｂを透過し、建物等の内部に到達する。
【００２５】
光透過率可変システムＡ１の作動は、建物等内側ガラス２ｂ内の温度又は湿度が、あらかじめ設定した値から、所定値以上離間した場合、又は、手動により現在の目標温度又は湿度を入力した場合に、入力手段Ｓから制御盤２１に制御開始の信号と共に、現在の建物等内側ガラス２ｂ内の温度及び湿度並びに目標温度及び湿度を出力されることで開始される。
【００２６】
次に、図２（ｂ）及び図２（ｃ）に示すように、制御盤２１は、入力手段Ｓ１からの信号と、ガラス部１内の内部空気層５０の状態を示す温度センサ１１、凝結核センサ１２、湿度センサ１３及び圧力センサ１４からの信号を演算し、凝結核供給装置２２、加湿器２３、減圧装置２４、加湿・凝結核バルブ３２、減圧バルブ３４及び吸排気バルブ３６を制御する。
【００２７】
本実施形態の場合、まず、加湿時、図２（ｂ）に示すように、制御盤２１は、加湿・凝結核バルブ３２を開き、加湿・凝結核通路３１によりガラス部１内の内部空気層５０と凝結核供給装置２２及び加湿器２３とを連通すると共に、吸排気バルブ３６を閉じ、ガラス部１内の内部空気層５０と外部大気層４０とを遮断する。また、凝結核供給装置２２及び加湿器２３を作動させ、凝結核５２及び多湿空気５３を凝結核供給装置２２及び加湿器２３からガラス部１内の内部空気層５０に排出する。なお、減圧バルブ３４は閉じ、減圧装置２４は作動していない。
【００２８】
この状態では、内部空気層５０の内部空気５１は、図３に示すように、大気圧、常温、高湿の状態となっており、外側ガラス２ａの外部からの光は透過光Ｌ１となって、内側ガラス２ｂを透過し、建物等の内部に到達する。
【００２９】
次に、減圧−ミスト発生時、図２（ｃ）に示すように、制御盤２１は、減圧バルブ３４を開き、減圧通路３３によりガラス部１内の内部空気層５０と減圧装置２４とを連通すると共に、吸排気バルブ３６を閉じたままとし、ガラス部１内の内部空気層５０と外部大気層４０とを遮断したままとする。また、減圧装置２４を作動させ、ガラス部１内の内部空気層５０を減圧する。この時、ガラス部１内の内部空気層５０の内部空気５１は、加湿された状態で減圧されることで凝結核５２に付着した多湿空気５３が、飽和状態となりミスト状となるため、内部空気層５０は雲状化する。なお、加湿・凝結核バルブ３２は閉じ、凝結核供給装置２２及び加湿器２３は作動していない。
【００３０】
この状態では、内部空気層５０の内部空気５１は、図３に示すように、減圧、低温、高湿の状態となっており、外側ガラス２ａの外部からの光の一部又は全部が反射・吸収光Ｌ２となって、内側ガラス２ａに到達する前で反射・吸収され、建物等の内部に到達しない。
【００３１】
最後に、復旧時、図２（ｄ）に示すように、加湿・凝結核バルブ３２及び減圧バルブ３４は閉じられ、吸排気バルブ３６のみが開く。ガラス部１の内部空気層５０は外部大気層４０と連通され、ガラス部１内は減圧状態となっていたので、大気４１が吸入される。そして、内部空気５１は、大気圧、低温、高湿の状態となるので、外側ガラス２ａの外部からの光は透過光Ｌ１となって、内側ガラス２ｂを透過し、建物等の内部に到達する。
【００３２】
なお、第１実施形態では、図２（ａ）の通常時から図２（ｂ）の加湿時の段階に制御したが、図２（ａ）の通常時に、ガラス部１の内部空気層５０がすでに凝結核５２を十分に含んでいる場合、また、湿度が十分に高い場合、凝結核供給装置２２、加湿器２３又は凝結核・加湿バルブ３２は作動せず、図２（ｃ）の減圧−ミスト発生時の段階に制御してもよい。
【００３３】
また、第１実施形態では、減圧することで、ガラス部１内にミストを発生させ、内部空気５１を雲状化したが、ドライアイスや液化窒素等の冷却要素を使用し、ガラス部１内の内部空気層５０を冷却することで、内部空気５１を雲状化してもよい。その際は、減圧装置の代わりに冷却要素の貯留手段等とガラス部１内の内部空気層５０とを連通し、減圧弁の代わりに冷却弁の開閉制御により冷却要素をガラス部１内の内部空気層５０に送出することで、内部空気５１を雲状化する。
【００３４】
次に光透過率可変システムの第２実施形態を説明する。図４は第２実施形態であるガラス面の結露作用を利用した光透過率可変システムＡ２の構造を示す。図中、１０１はガラス部、１０２はガラス、１０２ａは外側ガラス、１０２ｂは内側ガラス、１０３は枠、１１０はセンサ群、１１１は温度センサ、１１３は湿度センサ、１２０は制御装置、１２１は制御手段の一例としての制御盤、１２３は加湿器、１２５は送風機、１３０は吸排部、１３１は加湿通路、１３２は加湿バルブ、１３３は送風通路、１３４は送風バルブ、１３５は吸排気通路、１３６は吸排気バルブ、１３７は排水通路、１３８は排水バルブ、１４０は外部大気層、１４１は大気、１５０は内部空気層、１５１は内部空気、１５３は多湿空気、１５４は結露、１５５は結露排水、Ａ２は光透過率可変システム、Ｓ２は入力手段である。
【００３５】
センサ群１１０は、それぞれガラス部１内の内部空気層４０の状態を検知するものであり、温度を検知する温度センサ１１１、湿度を検知する湿度センサ１１３からなる。
【００３６】
制御装置１２０は、入力手段Ｓ２及びセンサ群１１０のそれぞれのセンサからの検知信号を入力し、加湿器１２３、送風機１２５を制御する制御盤１２１と、制御盤１２１からの信号によりガラス部１０１の内部空気層１５０を加湿する加湿器１２３と、制御盤１２１からの信号によりガラス部１の内部空気層５０に大気１４１を送風する送風機１２５とを有する。なお、入力手段Ｓ２は制御盤１２１と一体に設けてもよい。
【００３７】
吸排部１３０は、ガラス部１０１の内部空気層１５０と加湿器１２３とを枠１０３を貫通して連通する加湿通路１３１と、加湿通路１３１を通過する水蒸気１５３の量を制御する加湿バルブ１３２と、ガラス部１の内部空気層５０と送風機１２５とを枠１０３を貫通して連通する送風通路１３３と、送風通路１３３を通過する空気の量を制御する送風バルブ１３４と、ガラス部１０１の内部空気層１５０と外部大気層１４０とを枠１０３を貫通して連通する吸排気通路１３５と、吸排気通路１３５を通過する空気の量を制御する吸排気バルブ１３６と、結露排水１５５をガラス部１０１の内部空気層１５０から排出する排水通路１３７と、排水通路１３７を通過する結露排水１５５を制御する排水バルブ１３８とを有する。
【００３８】
なお、入力手段Ｓ２及びガラス部１０１は、第１実施形態と同様の構造なので、説明は省略する。
【００３９】
このような構造の光透過率可変システムＡ２の作動を説明する。図５は、各状態での光透過率可変システムＡ２を順に示した図であり、図６は、内部空気層１５０の内部空気１５１の状態の変化を示すグラフである。図中、Ｌ１は透過光、Ｌ２は反射・吸収光である。本実施形態の場合、内側ガラス１０２ｂ内部の温度が高いと判断し、透過光Ｌ１の一部又は全部を反射・吸収光Ｌ２となるように制御する。
【００４０】
通常時、図５（ａ）に示すように、加湿バルブ１３２及び送風バルブ１３４は閉じられ、吸排気バルブ１３６のみが開かれており、ガラス部１０１の内部空気層１５０は、外部大気層１４０と連通し、内部空気１５１は、図６に示すように、大気圧、常温、常湿の状態となっているので、外側ガラス１０２ａの外部からの光は透過光Ｌ１となって、内側ガラス１０２ｂを透過し、建物等の内部に到達する。
【００４１】
光透過率可変システムＡ２の作動は、建物等内側ガラス１０２ｂ内の温度又は湿度が、あらかじめ設定した値から、所定値以上離間した場合、又は、手動により現在の目標温度又は湿度を入力した場合に、入力手段Ｓ２から制御盤１２１に制御開始の信号と共に、現在の建物等内側ガラス１０２ｂ内の温度及び湿度並びに目標温度及び湿度を出力されることで開始される。
【００４２】
次に、図５（ｂ）及び図５（ｃ）に示すように、制御盤１２１は、入力手段Ｓ２からの信号と、ガラス部１０１内の内部空気層１５０の状態を示す温度センサ１１１及び湿度センサ１１３からの信号を演算し、加湿器１２３、送風機１２５、加湿バルブ１３２、送風バルブ１３４、吸排気バルブ１３６及び排水バルブ１３８を制御する。
【００４３】
本実施形態の場合、まず、図５（ｂ）に示すように、制御盤１２１は、加湿バルブ１３２を開き、加湿通路１３１によりガラス部１０１内の内部空気層１５０と加湿器１２３とを連通すると共に、吸排気バルブ１３６を閉じ、ガラス部１０１内の内部空気層１５０と外部大気層１４０とを遮断する。また、加湿器１２３を作動させ、多湿空気１５３を加湿器１２３からガラス部１０１内の内部空気層１５０に内部空気１５１が飽和状態となるまで排出する。なお、送風バルブ１３４及び排水バルブ１３８は閉じ、送風機１２５は作動していない。
【００４４】
この状態では、内部空気層１５０の内部空気１５１は、図６に示すように、飽和状態となっており、ガラス部１０１内の内部空気層１５０、特に外側ガラス１０２ａ及び内側ガラス１０２ｂには、結露１５４が発生し、外側ガラス１０２ａの外部からの光の一部又は全部が反射・吸収光Ｌ２となって、内側ガラス１０２ａに到達する前で反射・吸収され、建物等の内部に到達しない。
【００４５】
最後に、図５（ｃ）に示すように、加湿バルブ１３２は閉じられ、送風バルブ１３４、吸排気バルブ１３６、排水バルブ１３８が開き、送風機１２５を作動させ、ガラス部１０１の内部空気層１５０を外部大気層１４０と連通する。この時、結露１５４は、送風機１２５から送風通路１３３を通って送風された大気１４４により、乾燥されると同時に、排水通路１３７から排水されるので、外側ガラス１０２ａの外部からの光は透過光Ｌ１となって、内側ガラス１０２ｂを透過し、建物等の内部に到達する。
【００４６】
次に光透過率可変システムの第３実施形態を説明する。図７は第３実施形態であるドライアイスを利用した光透過率可変システムＡ３の構造を示す。図中、２０１はガラス部、２０２はガラス、２０２ａは外側ガラス、２０２ｂは内側ガラス、２０３は枠、２２０は制御装置、２２１は制御手段の一例としての制御盤、２２５は送風器、２２６は非透過気体発生装置の一例としてのミスト発生装置、２３０は吸排部、２３１はミスト通路、２３２はミストバルブ、２３３は送風通路、２３４は送風バルブ、２３５は吸排気通路、２３６は吸排気バルブ、２４０は外部大気層、２４１は大気、２５０は内部空気層、２５１は内部空気、２５３は水、２５４はドライアイス、２５５はドライアイスミスト、Ａ３は光透過率可変システム、Ｓ３は入力手段である。
【００４７】
制御装置２２０は、入力手段Ｓ３からの検知信号を入力し、ミスト発生装置２２６、送風機２２５を制御する制御盤２２１と、制御盤２２１からの信号によりガラス部２０１の内部空気層２５０に水２５３とドライアイス２５４とから発生させるドライアイスミスト２５５を送出するミスト発生装置２２６と、制御盤２２１からの信号によりガラス部２０１の内部空気層２５０に大気２４１を送風する送風機２２５とを有する。なお、入力手段Ｓ３は制御盤２２１と一体に設けてもよい。
【００４８】
吸排部２３０は、ガラス部２０１の内部空気層２５０とミスト発生装置２２６とを枠２０３を貫通して連通するミスト通路２３１と、ミスト通路２３１を通過するドライアイスミスト２５５の量を制御するミストバルブ２３２と、ガラス部２０１の内部空気層２５０と送風機２２５とを枠２０３を貫通して連通する送風通路２３３と、送風通路２３３を通過する空気の量を制御する送風バルブ２３４と、ガラス部２０１の内部空気層２５０と外部大気層２４０とを枠２０３を貫通して連通する吸排気通路２３５と、吸排気通路２３５を通過する空気の量を制御する排気バルブ２３６とを有する。
【００４９】
なお、入力手段Ｓ３及びガラス部２０１は、第１実施形態と同様の構造なので、説明は省略する。
【００５０】
このような構造の光透過率可変システムＡ３の作動を説明する。図８は、各状態での光透過率可変システムＡ３を順に示した図である。図中、Ｌ１は透過光、Ｌ２は反射・吸収光である。本実施形態の場合、内側ガラス２０２ｂ内部の温度が高いと判断し、透過光Ｌ１の一部又は全部を反射・吸収光Ｌ２となるように制御する。
【００５１】
通常時、図８（ａ）に示すように、ミストバルブ２３２及び送風バルブ２３４は閉じられ、吸排気バルブ２３６のみが開かれており、ガラス部２０１の内部空気層２５０は、外部大気層２４０と連通し、内部空気２５１は、大気圧、常温、常湿の状態となっているので、外側ガラス２０２ａの外部からの光は透過光Ｌ１となって、内側ガラス２０２ｂを透過し、建物等の内部に到達する。
【００５２】
光透過率可変システムＡ３の作動は、建物等内側ガラス２０２ｂ内の温度又は湿度が、あらかじめ設定した値から、所定値以上離間した場合、又は、手動により現在の目標温度又は湿度を入力した場合に、入力手段Ｓ２から制御盤２２１に制御開始の信号と共に、現在の建物等内側ガラス２０２ｂ内の温度及び湿度並びに目標温度及び湿度を出力されることで開始される。
【００５３】
次に、図８（ｂ）及び図８（ｃ）に示すように、制御盤２２１は、入力手段Ｓ３からの信号を演算し、ミスト発生装置２２６、送風機２２５、ミストバルブ２３２、送風バルブ２３４及び吸排気バルブ２３６を制御する。
【００５４】
本実施形態の場合、まず、図８（ｂ）に示すように、制御盤２２１は、ミストバルブ２３２を開き、ミスト通路２３１によりガラス部２０１内の内部空気層２５０とミスト発生装置２２６とを連通すると共に、送風バルブ２３４及び吸排気バルブ２３６を閉じ、ガラス部２０１内の内部空気層２５０と外部大気層２４０とを遮断する。また、ミスト発生装置２２６を作動させ、水２５３とドライアイス２５４とにより発生するドライアイスミスト２５５を、ミスト発生装置２２６からガラス部２０１内の内部空気層２５０に送出する。なお、送風バルブ２３４及び吸排気バルブ２３６は閉じ、送風機２２５は作動していない。
【００５５】
この状態では、内部空気層２５０は、ミストが充満した状態となり、外側ガラス２０２ａの外部からの光の一部又は全部が反射・吸収光Ｌ２となって、内側ガラス２０２ａに到達する前で反射・吸収され、建物等の内部に到達しない。
【００５６】
最後に、図８（ｃ）に示すように、ミストバルブ２３２は閉じられ、送風バルブ２３４及び吸排気バルブ２３６が開き、送風機２２５を作動させ、ガラス部２０１の内部空気層２５０を外部大気層２４０と連通する。この時、ドライアイスミスト２５５は、送風機２２５から送風通路２３３を通って送風された大気２４４により、吸排通路２３５から排出されるので、外側ガラス２０２ａの外部からの光は透過光Ｌ１となって、内側ガラス２０２ｂを透過し、建物等の内部に到達する。
【００５７】
このように、本実施形態の光透過率可変システムは、簡単な構造により瞬時に光透過率を変更できると共に、ダブルスキンガラスや二重ガラス等の内部空間を利用して、ガラスファサード等の開放感のある外観を維持すると共に、建物の外観を瞬時に変更することができる。したがって、人々の興味を効果的に引きつけることができる。また、建物の窓を部分的に変化可能とすることで、
建物全体を宣伝等に使用することもできる。
【図面の簡単な説明】
【００５８】
【図１】第１実施形態の光透過率可変システムを示す図
【図２】第１実施形態の光透過率可変システムの作動を示す図
【図３】第１実施形態の光透過率可変システムの内部空気の状態を示す図
【図４】第２実施形態の光透過率可変システムを示す図
【図５】第２実施形態の光透過率可変システムの作動を示す図
【図６】第２実施形態の光透過率可変システムの内部空気の状態を示す図
【図７】第３実施形態の光透過率可変システムを示す図
【図８】第３実施形態の光透過率可変システムの作動を示す図
【符号の説明】
【００５９】
１，１０１，２０１…ガラス部、２，１０２，２０２…ガラス、２ａ，１０２ａ，２０２ａ…外側ガラス、２ｂ，１０２ｂ，２０２ｂ…内側ガラス、３，１０３，２０３…枠、４…補強リブ、１０，１１０…センサ群、１１，１１１…温度センサ、１２…凝結核センサ、１３，１１３…湿度センサ、１４…圧力センサ、２０，１２０，２２０…制御装置、２１，１２１，２２１…制御盤（制御手段）、２２…凝結核供給装置、２３，１２３…加湿器、２４…減圧装置、１２４，２２４…送風機、２２６…ミスト発生装置（非透過気体発生装置）、３０，１３０，２３０…吸排部、３１…加湿・凝結核通路、１３１…加湿通路、３２…加湿・凝結核バルブ、１３２…加湿バルブ、３３…減圧通路、３４…減圧バルブ、１３３，２３３…送風通路、１３４，２３４…送風バルブ、３５，１３５，２３５…吸排気通路、３６，１３６，２３６…吸排気バルブ、１３７…排水通路、１３８…排水バルブ、２３１…ミスト通路、２３２…ミストバルブ、４０，１４０，２４０…外部大気層、４１，１４１，２４１…大気、５０，１５０，２５０…内部空気層、５１，１５１，２５１…内部空気、５２…凝結核、５３，１５３…多湿空気、１５４…結露、１５５…結露水、２５３…水、２５４…ドライアイス、２５５…ドライアイスミスト、Ａ１，Ａ２，Ａ３…光透過率可変システム、Ｓ１，Ｓ２，Ｓ３…入力手段、Ｌ１…透過光、Ｌ２…反射・吸収光
【図１】
2008025229.tif 000003
【図２】
2008025229.tif 000004
【図３】
2008025229.tif 000005
【図４】
2008025229.tif 000006
【図５】
2008025229.tif 000007
【図６】
2008025229.tif 000008
【図７】
2008025229.tif 000009
【図８】
2008025229.tif 000010